(57)【特許請求の範囲】
【請求項１】
商用系統から供給される交流電力をもとに蓄電池を充電する機能と、前記蓄電池から供給される直流電力をもとに交流電力を負荷に供給する機能とを有する充放電装置であって、
前記商用系統から供給される交流電力を直流電力に変換する機能と直流電力を交流電力に変換する機能とを含むインバータと、
前記インバータを制御するインバータ制御部と、
前記インバータと前記インバータ制御部とに電源を供給するインバータ電源部と、
前記インバータによって得られる直流電力の電圧値を変更する機能と前記蓄電池から供給される直流電力の電圧値を変更する機能とを含み並列に接続された複数のコンバータと、
前記複数のコンバータを制御する複数のコンバータ制御部と、
前記複数のコンバータと前記複数のコンバータ制御部とに電源を供給する複数のコンバータ電源部と、
前記商用系統と前記インバータとを接続させる状態と接続させない状態とを切り替える連系解列器と、
前記複数のコンバータと前記蓄電池とを接続させる状態と接続させない状態とを切り替える蓄電池側解列器と、
前記充放電装置の外部の端末機器と通信を行う通信部と、
前記充放電装置の外部の表示操作リモートコントローラからの指示を受け付ける受付部とを備え、
前記インバータは、前記複数のコンバータの一部又は全部によって得られる直流電力を交流電力に変換して変換によって得られる交流電力を前記負荷に供給する機能を有し、
前記複数のコンバータの各々は、前記複数のコンバータ制御部のいずれかひとつに対応すると共に、前記複数のコンバータ電源部のいずれかひとつに対応しており、
前記複数のコンバータ制御部の各々は、前記複数のコンバータのいずれかひとつに対応していて、前記複数のコンバータのうちの対応するコンバータを制御すると共に、前記複数のコンバータ電源部のいずれかひとつに対応しており、
前記複数のコンバータ電源部の各々は、前記複数のコンバータのいずれかひとつに対応すると共に、前記複数のコンバータ制御部のいずれかひとつに対応しており、前記複数のコンバータのうちの対応するコンバータと、前記複数のコンバータ制御部のうちの対応するコンバータ制御部とに電源を供給し、
前記インバータは前記複数のコンバータの一部又は全部に直流電力を供給する機能を有していて、前記複数のコンバータの各々は前記インバータに直流電力を供給する機能を有しており、前記インバータが前記複数のコンバータの一部又は全部に供給する直流電力の電圧と、前記複数のコンバータの各々が前記インバータに供給する直流電力の電圧とは、直流リンク電圧であって、
前記蓄電池についての充放電運転時に、前記複数のコンバータ電源部の一部又は全部は、前記複数のコンバータのうちの対応するコンバータと前記複数のコンバータ制御部のうちの対応するコンバータ制御部とに前記直流リンク電圧の電源を供給する
ことを特徴とする充放電装置。
【請求項２】
前記充放電運転時に、前記負荷が必要とする電力量があらかじめ決められた電力量を下回った場合、前記複数のコンバータ制御部のうちの特定のひとつのコンバータ制御部はマスターのコンバータ制御部となり、前記複数のコンバータ制御部のうちの前記特定のひとつのコンバータ制御部以外のコンバータ制御部はスレーブのコンバータ制御部となり、前記マスターのコンバータ制御部は、前記スレーブのコンバータ制御部の電源をオフする
ことを特徴とする請求項１に記載の充放電装置。
【請求項３】
前記充放電運転時に、前記負荷が必要とする電力量があらかじめ決められた電力量を下回った場合、前記複数のコンバータ制御部のうちの特定のひとつのコンバータ制御部はマスターのコンバータ制御部となり、前記複数のコンバータ制御部のうちの前記特定のひとつのコンバータ制御部以外のコンバータ制御部はスレーブのコンバータ制御部となり、前記複数のコンバータのうちの前記スレーブのコンバータ制御部に対応するコンバータは、スレーブのコンバータであり、
前記マスターのコンバータ制御部は、前記スレーブのコンバータを停止させる場合、前記スレーブのコンバータ制御部にコンバータ制御を停止する信号を出力する
ことを特徴とする請求項１に記載の充放電装置。
【請求項４】
前記インバータと前記複数のコンバータとを接続する配線に接続されているコンデンサを更に備え、
前記蓄電池についての充放電運転停止時に、
前記連系解列器は、前記商用系統と前記インバータとを接続させない状態にし、前記直流リンク電圧を低下させ、
前記複数のコンバータ電源部の各々は、前記複数のコンバータのうちの対応するコンバータへの電源の供給をオフすると共に、前記複数のコンバータ制御部のうちの対応するコンバータ制御部への電源の供給をオフする
ことを特徴とする請求項１から３のいずれか１項に記載の充放電装置。
【請求項５】
前記蓄電池は、電気自動車に搭載されており、
前記電気自動車と前記蓄電池側解列器とを電気的に接続すると共に前記電気自動車と前記マスターのコンバータ制御部とを電気的に接続する充放電コネクタと、
前記インバータと前記複数のコンバータとを接続する配線に接続されているコンデンサとを更に備え、
前記蓄電池についての充放電運転停止時に、
前記連系解列器は、前記商用系統と前記インバータとを接続させる状態にし、
前記インバータは、前記商用系統から供給される交流電圧をダイオード整流によって得られた直流電圧をもとに前記コンデンサを充電し、
前記複数のコンバータ電源部の各々は、前記複数のコンバータ制御部のうちの対応するコンバータ制御部に前記直流リンク電圧の電源を供給し、
前記マスターのコンバータ制御部は、コンバータ電源オフ制御信号を、前記複数のコンバータ電源部のうちの前記マスターのコンバータ制御部に対応するコンバータ電源部以外のコンバータ電源部に出力し、前記複数のコンバータ電源部のうちの前記マスターのコンバータ制御部に対応するコンバータ電源部以外のコンバータ電源部の電源をオフし、
前記マスターのコンバータ制御部は、前記電気自動車からコントローラエリアネットワークを介して送られてくる信号を常時監視する
ことを特徴とする請求項２又は３に記載の充放電装置。
【請求項６】
前記蓄電池についての充放電運転停止時に、
前記連系解列器は、前記商用系統と前記インバータとを接続させない状態にし、前記直流リンク電圧を低下させ、
前記表示操作リモートコントローラの設定画面又は前記端末機器の設定画面において、前記複数のコンバータ電源部をオフする第１のモードと、前記複数のコンバータ制御部のうちの前記マスターのコンバータ制御部が出力するコンバータ電源オフ制御信号により前記スレーブのコンバータ制御部の電源をオフする第２のモードとのいずれかが選択され、
前記通信部又は前記受付部は、前記表示操作リモートコントローラの設定画面又は前記端末機器の設定画面で選択された前記第１のモード又は前記第２のモードを受け付ける
ことを特徴とする請求項２又は３に記載の充放電装置。
【請求項７】
前記インバータと前記複数のコンバータとを接続する配線に接続されているコンデンサを更に備え、
前記蓄電池についての充放電運転停止時に、前記インバータ制御部がファームウェアをアップデートする要求を受け取った場合、
前記連系解列器は、前記商用系統と前記インバータとを接続させる状態にし、
前記インバータは、前記商用系統から供給される交流電圧をダイオード整流によって得られた直流電圧をもとに前記コンデンサを充電し、
前記複数のコンバータ電源部の各々は、前記複数のコンバータ制御部のうちの対応するコンバータ制御部に前記直流リンク電圧の電源を供給し、
前記インバータ制御部は、アップデート用のファームウェアを受け取ったとき、前記複数のコンバータ制御部のうちの特定のひとつのコンバータ制御部に前記アップデート用のファームウェアの一部又は全部を転送し、
前記特定のひとつのコンバータ制御部は、前記アップデート用のファームウェアの一部又は全部を受信したとき、前記複数のコンバータ制御部のうちの前記特定のひとつのコンバータ制御部以外のコンバータ制御部に前記アップデート用のファームウェアの一部又は全部を転送し、
前記インバータ制御部及び前記複数のコンバータ制御部で記憶されていたファームウェアは、前記アップデート用のファームウェアの一部又は全部に一括でアップデートされる
ことを特徴とする請求項１から６のいずれか１項に記載の充放電装置。
【請求項８】
前記蓄電池は、電気自動車に搭載されており、
前記充放電運転停止時に、コントローラエリアネットワーク通信の信号により、又は、充放電コネクタ接続確認信号により、前記電気自動車が前記充放電装置に接続されていないと前記インバータ制御部によって判断された場合、前記インバータ制御部及び前記複数のコンバータ制御部で記憶されていたファームウェアはアップデートされる
ことを特徴とする請求項７に記載の充放電装置。
【発明の詳細な説明】
【技術分野】
【０００１】
本開示は、蓄電池に接続される充放電装置に関する。
【背景技術】
【０００２】
近年、電気自動車（Electric  Vehicle：以下、「ＥＶ」と記載される）の普及に伴い、例えばＥＶといった自動車に駆動用車載電池として搭載されている蓄電池に蓄えられた電力を家庭内で利用するＶ２Ｈ（Vehicle  to  Home）システムと呼ばれる電力供給システムが普及しつつある。【０００３】
Ｖ２Ｈシステムでは、充放電装置の充放電コネクタがＥＶの充放電ポートに接続され、非特許文献１で規定されている充放電インターフェース及びシーケンスに沿って、制御信号及びＣＡＮ通信プロトコルによるデータの送受信が行われ、当該送受信にしたがって充放電が行われる。ＣＡＮは、Controller  Area  Networkの略称である。ＣＡＮは、コントローラエリアネットワークと記載される場合がある。ＣＡＮ通信は、国際標準化機構（ＩＳＯ：International  Organization  for  Standardization）の規格に準拠したシリアル通信である。【０００４】
非特許文献１は、Ｖ２Ｈについての各種規格を規定している。各種規格は、充放電装置とＥＶとの接続に関する規格と、蓄電池についての充放電制御に関する規格とを含む。【０００５】
特許文献１は、充電装置内の充電制御ユニット及び通信ユニット、並びに電池を含む電池パック内の電池制御ユニットにおける各種の処理を実行させるソフトウェアのアップデートを管理システムの管理端末で行う技術を開示している。
【先行技術文献】
【特許文献】
【０００６】
【特許文献１】特許第６４８８５６２号公報
【非特許文献】
【０００７】
【非特許文献１】電動自動車用充放電システムガイドライン  Ｖ２Ｈ  ＤＣ版（ＥＶＰＳ−００２）、一般社団法人  電動車両用電力供給システム協議会（Electric  Vehicle  Power  System  Association）
【発明の概要】
【発明が解決しようとする課題】
【０００８】
充放電運転において、ＥＶの蓄電池への充電電流が絞られる満充電付近での充電の状態、及びデイタイムの外出時の家庭内への給電の状態は、充放電装置の電力変換効率が落ちる低負荷状態である。上記の給電は、蓄電池の放電に伴って行われる。電力変換効率の向上及び充放電運転停止時の待機電力を抑制するために設けられた複数のコンバータ制御回路の電源をオフする充放電装置では、複数のファームウェアのアップデートが一括で行われる。【０００９】
特許文献１に記載されている技術では、管理システムによりファームウェアを不定期で一括にアップデートするために、充電装置の充電制御ユニット、通信制御ユニット、データ通信モジュール、及び充電装置の充電制御ユニットは、常時通電される必要がある。そのため、特許文献１に記載されている技術では、充電運転時の低負荷状態での電力変換効率が低下し、充電運転停止時の待機電力が大きくなるという問題がある。【００１０】
本開示は、上記に鑑みてなされたものであって、充放電運転時の低負荷状態での電力変換効率を向上させると共に充放電運転停止時の待機電力を抑制し、かつ複数のファームウェアのアップデートを一括で行う充放電装置を得ることを目的とする。
【課題を解決するための手段】
【００１１】
上述した課題を解決し、目的を達成するために、本開示にかかる充放電装置は、商用系統から供給される交流電力をもとに蓄電池を充電する機能と、蓄電池から供給される直流電力をもとに交流電力を負荷に供給する機能とを有する。本開示にかかる充放電装置は、商用系統から供給される交流電力を直流電力に変換する機能と直流電力を交流電力に変換する機能とを含むインバータと、インバータを制御するインバータ制御部と、インバータとインバータ制御部とに電源を供給するインバータ電源部と、インバータによって得られる直流電力の電圧値を変更する機能と蓄電池から供給される直流電力の電圧値を変更する機能とを含み並列に接続された複数のコンバータと、複数のコンバータを制御する複数のコンバータ制御部と、複数のコンバータと複数のコンバータ制御部とに電源を供給する複数のコンバータ電源部と、商用系統とインバータとを接続させる状態と接続させない状態とを切り替える連系解列器と、複数のコンバータと蓄電池とを接続させる状態と接続させない状態とを切り替える蓄電池側解列器と、充放電装置の外部の端末機器と通信を行う通信部と、充放電装置の外部の表示操作リモートコントローラからの指示を受け付ける受付部とを有する。インバータは、複数のコンバータの一部又は全部によって得られる直流電力を交流電力に変換して変換によって得られる交流電力を負荷に供給する機能を有する。複数のコンバータの各々は、複数のコンバータ制御部のいずれかひとつに対応すると共に、複数のコンバータ電源部のいずれかひとつに対応している。複数のコンバータ制御部の各々は、複数のコンバータのいずれかひとつに対応していて、複数のコンバータのうちの対応するコンバータを制御すると共に、複数のコンバータ電源部のいずれかひとつに対応している。複数のコンバータ電源部の各々は、複数のコンバータのいずれかひとつに対応すると共に、複数のコンバータ制御部のいずれかひとつに対応しており、複数のコンバータのうちの対応するコンバータと、複数のコンバータ制御部のうちの対応するコンバータ制御部とに電源を供給する。インバータは複数のコンバータの一部又は全部に直流電力を供給する機能を有していて、複数のコンバータの各々はインバータに直流電力を供給する機能を有しており、インバータが複数のコンバータの一部又は全部に供給する直流電力の電圧と、複数のコンバータの各々がインバータに供給する直流電力の電圧とは、直流リンク電圧である。蓄電池についての充放電運転時に、複数のコンバータ電源部の一部又は全部は、複数のコンバータのうちの対応するコンバータと複数のコンバータ制御部のうちの対応するコンバータ制御部とに直流リンク電圧の電源を供給する。
【発明の効果】
【００１２】
本開示にかかる充放電装置は、充放電運転時の低負荷状態での電力変換効率を向上させると共に充放電運転停止時の待機電力を抑制し、かつ複数のファームウェアのアップデートを一括で行うことができるという効果を奏する。
【図面の簡単な説明】
【００１３】
【図１】実施の形態にかかる充放電装置の構成を示す図
【図２】実施の形態にかかる充放電装置が有するインバータの構成を示す図
【図３】実施の形態にかかる充放電装置がファームウェアをアップデートする場合の充放電装置の動作の手順の第１の例の概略を示すフローチャート
【図４】実施の形態にかかる充放電装置がファームウェアをアップデートする場合の充放電装置の動作の手順の第２の例の概略を示すフローチャート
【図５】実施の形態にかかる充放電装置が有するインバータ制御部、複数のコンバータ制御部、通信部、受付部及びコンピュータ用コネクタの一部又は全部がプロセッサによって実現される場合のプロセッサを示す図
【図６】実施の形態にかかる充放電装置が有するインバータ制御部、複数のコンバータ制御部、通信部、受付部及びコンピュータ用コネクタの一部又は全部が処理回路によって実現される場合の処理回路を示す図
【発明を実施するための形態】
【００１４】
以下に、実施の形態にかかる充放電装置を図面に基づいて詳細に説明する。
【００１５】
実施の形態．
図１は、実施の形態にかかる充放電装置１の構成を示す図である。充放電装置１は、商用系統８１から供給される交流電力をもとにＥＶ８２に搭載されている蓄電池８３を充電する機能と、蓄電池８３から供給される直流電力をもとに交流電力を負荷８４に供給する機能とを有する。商用系統８１からの交流電力が充放電装置１に供給される場合、分電盤８５を介して商用系統８１からの交流電力が充放電装置１に供給される。図１には、商用系統８１、ＥＶ８２、蓄電池８３、負荷８４及び分電盤８５も示されている。負荷８４は、例えばモータ又は各種電気機器である。
【００１６】
充放電装置１は、蓄電池８３を充電する場合、分電盤８５を介して商用系統８１から供給される交流電力を直流電力に変換し、変換によって得られた直流電力を蓄電池８３に出力する。充放電装置１は、蓄電池８３が放電する場合、蓄電池８３から供給される直流電力を交流電力に変換し、変換によって得られた交流電力を、分電盤８５を介して負荷８４に供給する。
【００１７】
充放電装置１は、商用系統８１から供給される交流電力を直流電力に変換する機能と直流電力を交流電力に変換する機能とを含むインバータ２を有する。図２は、実施の形態にかかる充放電装置１が有するインバータ２の構成を示す図である。インバータ２は、スイッチング素子４１，４２，４３，４４を有する。例えば、スイッチング素子４１，４２，４３，４４の各々は、絶縁ゲートバイポーラトランジスタ（ＩＧＢＴ：Insulated  Gate  Bipolar  Transistor）である。インバータ２は、ダイオード４５，４６，４７，４８を更に有する。ダイオード４５，４６，４７，４８の各々は、スイッチング素子４１，４２，４３，４４のうちの対応するひとつのスイッチング素子に接続されている。インバータ２は、商用系統８１の側に位置する二つのリアクトル４９，５０を更に有する。二つのリアクトル４９，５０の各々は、インバータ２が出力する交流電圧を平滑化する。図２には、充放電装置１が有する複数の構成要素のうちのインバータ２以外の構成要素も示されている。
【００１８】
充放電装置１は、インバータ２を制御するインバータ制御部３を更に有する。例えば、インバータ制御部３は、パルス振幅変調信号２１を用いてインバータ２を制御する。以下では、パルス振幅変調は、ＰＷＭ（Puls-Width  Modulation）と記載される場合がある。インバータ制御部３は、メモリを有する。充放電装置１は、インバータ２とインバータ制御部３とに電源を供給するインバータ電源部４を更に有する。
【００１９】
充放電装置１は、インバータ２によって得られる直流電力の電圧値を変更する機能と蓄電池８３から供給される直流電力の電圧値を変更する機能とを含む複数のコンバータ５１，５２，５３，・・・，５ｎを更に有する。複数のコンバータ５１，５２，５３，・・・，５ｎは、並列に接続されている。充放電装置１は、複数のコンバータ５１，５２，５３，・・・，５ｎを制御する複数のコンバータ制御部６１，６２，６３，・・・，６ｎを更に有する。例えば、複数のコンバータ制御部６１，６２，６３，・・・，６ｎの各々は、ＰＷＭ信号２２１，２２２，２２３，・・・，２２ｎのいずれかを用いて複数のコンバータ５１，５２，５３，・・・，５ｎのいずれかひとつを制御する。複数のコンバータ制御部６１，６２，６３，・・・，６ｎの各々は、メモリを有する。充放電装置１は、複数のコンバータ５１，５２，５３，・・・，５ｎと複数のコンバータ制御部６１，６２，６３，・・・，６ｎとに電源を供給する複数のコンバータ電源部７１，７２，７３，・・・，７ｎを更に有する。本明細書では、ｎは２以上の整数である。
【００２０】
インバータ２は、複数のコンバータ５１，５２，５３，・・・，５ｎの一部又は全部によって得られる直流電力を交流電力に変換して変換によって得られる交流電力を負荷８４に供給する機能を有する。複数のコンバータ５１，５２，５３，・・・，５ｎの各々は、複数のコンバータ制御部６１，６２，６３，・・・，６ｎのいずれかひとつに対応すると共に、複数のコンバータ電源部７１，７２，７３，・・・，７ｎのいずれかひとつに対応している。具体的には、コンバータ５１は、コンバータ制御部６１及びコンバータ電源部７１に対応している。コンバータ５ｎは、コンバータ制御部６ｎ及びコンバータ電源部７ｎに対応している。
【００２１】
複数のコンバータ制御部６１，６２，６３，・・・，６ｎの各々は、複数のコンバータ５１，５２，５３，・・・，５ｎのいずれかひとつに対応していて、複数のコンバータ５１，５２，５３，・・・，５ｎのうちの対応するコンバータを制御すると共に、複数のコンバータ電源部７１，７２，７３，・・・，７ｎのいずれかひとつに対応している。具体的には、コンバータ制御部６１は、コンバータ５１に対応していて、コンバータ５１を制御すると共に、コンバータ電源部７１に対応している。コンバータ制御部６ｎは、コンバータ５ｎに対応していて、コンバータ５ｎを制御すると共に、コンバータ電源部７ｎに対応している。
【００２２】
複数のコンバータ電源部７１，７２，７３，・・・，７ｎの各々は、複数のコンバータ５１，５２，５３，・・・，５ｎのいずれかひとつに対応すると共に、複数のコンバータ制御部６１，６２，６３，・・・，６ｎのいずれかひとつに対応しており、複数のコンバータ５１，５２，５３，・・・，５ｎのうちの対応するコンバータと、複数のコンバータ制御部６１，６２，６３，・・・，６ｎのうちの対応するコンバータ制御部とに電源を供給する。具体的には、コンバータ電源部７１は、コンバータ５１及びコンバータ制御部６１に対応しており、コンバータ５１とコンバータ制御部６１とに電源を供給する。コンバータ電源部７ｎは、コンバータ５ｎ及びコンバータ制御部６ｎに対応しており、コンバータ５ｎとコンバータ制御部６ｎとに電源を供給する。
【００２３】
インバータ２は、複数のコンバータ５１，５２，５３，・・・，５ｎの一部又は全部に直流電力を供給する機能を有している。複数のコンバータ５１，５２，５３，・・・，５ｎの各々は、インバータ２に直流電力を供給する機能を有している。インバータ２が複数のコンバータ５１，５２，５３，・・・，５ｎの一部又は全部に供給する直流電力の電圧と、複数のコンバータ５１，５２，５３，・・・，５ｎの各々がインバータ２に供給する直流電力の電圧とは、直流リンク電圧２３である。
【００２４】
蓄電池８３についての充放電運転時に、複数のコンバータ電源部７１，７２，７３，・・・，７ｎの一部又は全部は、複数のコンバータ５１，５２，５３，・・・，５ｎのうちの対応するコンバータと複数のコンバータ制御部６１，６２，６３，・・・，６ｎのうちの対応するコンバータ制御部とに直流リンク電圧２３の電源を供給する。
【００２５】
充放電装置１は、インバータ２と分電盤８５とに接続されていて、商用系統８１とインバータ２とを接続させる状態と接続させない状態とを切り替える連系解列器８を更に有する。連系解列器８は、インバータ制御部３から出力される連系解列器制御信号２４にしたがって動作する。充放電装置１は、複数のコンバータ５１，５２，５３，・・・，５ｎと蓄電池８３とを接続させる状態と接続させない状態とを切り替える蓄電池側解列器９を更に有する。
【００２６】
充放電装置１は、充放電装置１の外部の端末機器８６と通信を行う通信部１０を更に有する。通信部１０は、充放電装置１の外部のブロードバンドルータ８７及びインターネット８８を介して端末機器８６と通信を行う。通信部１０は、ブロードバンドルータ８７及びインターネット８８を介して、サーバ８９と通信を行うこともできる。充放電装置１は、充放電装置１の外部の表示操作リモートコントローラ９０からの指示を受け付ける受付部１１を更に有する。通信部１０及び受付部１１は、インバータ制御部３に接続されている。
【００２７】
充放電装置１は、インバータ２と複数のコンバータ５１，５２，５３，・・・，５ｎとを接続する配線１２に接続されているコンデンサ１３と、ＥＶ８２と蓄電池側解列器９とを電気的に接続すると共にＥＶ８２とマスターのコンバータ制御部とを電気的に接続する充放電コネクタ１４とを更に有する。充放電コネクタ１４は、ＥＶ８２の充放電ポート９１に接続される。マスターのコンバータ制御部は、複数のコンバータ制御部６１，６２，６３，・・・，６ｎのうちの特定のひとつのコンバータ制御部である。具体的には、マスターのコンバータ制御部は、コンバータ制御部６１である。複数のコンバータ制御部６１，６２，６３，・・・，６ｎのうちの特定のひとつのコンバータ制御部以外のコンバータ制御部は、スレーブのコンバータ制御部である。
【００２８】
マスターのコンバータ制御部であるコンバータ制御部６１は、ＥＶ８２に搭載されている蓄電池８３についての充放電インターフェース機能を有し、非特許文献１に記載されている充放電シーケンスにしたがって、ＥＶ８２と、ＣＡＮ通信２５及び車両Ｉ／Ｏ（Input/Output）信号２６の送受信を行う。例えば、車両Ｉ／Ｏ信号２６は、充放電コネクタ接続確認信号、コネクタロックアンサー信号及び作動許可禁止信号を含む。コンバータ制御部６１は、ＣＡＮドライバを有する。
【００２９】
複数のコンバータ電源部７１，７２，７３，・・・，７ｎの各々は、配線１５によって配線１２に接続されている。充放電装置１は、配線１２に接続されているダイオード１６を更に有する。
【００３０】
上述の通り、複数のコンバータ制御部６１，６２，６３，・・・，６ｎのうちのコンバータ制御部６１はマスターのコンバータ制御部であり、複数のコンバータ制御部６１，６２，６３，・・・，６ｎのうちのコンバータ制御部６１以外のコンバータ制御部６２，６３，・・・，６ｎは、スレーブのコンバータ制御部である。例えば、ｎが２であって充放電装置１の出力が６ｋＷである場合、６ｋＷがマスターのコンバータの３ｋＷとスレーブのコンバータの３ｋＷとに分散される。マスターのコンバータに対応するマスターのコンバータ制御部６１と、スレーブのコンバータに対応するスレーブのコンバータ制御部６２とが充放電運転時の分散制御に必要な情報を送受信する。コンバータ制御部６１とコンバータ制御部６２とは、通信２７により情報を送受信する。マスターのコンバータは、複数のコンバータ５１，５２，５３，・・・，５ｎのうちのマスターのコンバータ制御部６１に対応するコンバータ５１であり、スレーブのコンバータは、複数のコンバー５１，５２，５３，・・・，５ｎのうちのスレーブのコンバータ制御部６２，６３，・・・，６ｎに対応するコンバータ５２，５３，・・・，５ｎである。
【００３１】
充放電装置１の充放電電力がマスターのコンバータの最大の出力電力以下である場合、例えば充放電電力が０ｋＷ以上３ｋＷ未満である場合、充放電装置１の状態は、負荷８４での消費電力が相対的に少ない低負荷状態であるとみなされる。充放電装置１の充放電電力がマスターのコンバータの最大の出力電力以上である場合、例えば充放電電力が３ｋＷ以上６ｋＷ以下である場合、充放電装置１の状態は、負荷８４での消費電力が相対的に多い高負荷状態とあるとみなされる。
【００３２】
例えば、充放電装置１の充放電電力が４ｋＷである場合、充放電装置１の状態は高負荷状態とあるとみなされ、充放電装置１は、マスターのコンバータ５１が３ｋＷの充放電を行ってスレーブのコンバータ５２が１ｋＷの充放電を行うように、コンバータ制御部６１とコンバータ制御部６２とが通信２７により情報を送受信する。例えば、充放電装置１の充放電電力が５ｋＷである場合、充放電装置１の状態は高負荷状態とあるとみなされ、充放電装置１は、マスターのコンバータ５１が３ｋＷの充放電を行ってスレーブのコンバータ５２が２ｋＷの充放電を行うように、コンバータ制御部６１とコンバータ制御部６２とが通信２７により情報を送受信する。なお、マスターのコンバータ５１及びスレーブのコンバータ５２，５３，・・・，５ｎの各々の最大出力は、３ｋＷでなくてもよい。マスターのコンバータ５１の最大出力は、スレーブのコンバータ５２，５３，・・・，５ｎの各々の最大出力と異なっていてもよい。
【００３３】
インバータ制御部３は、マスターのコンバータ制御部であるコンバータ制御部６１の上位ＥＭＳ（Energy  Management  System）の機能も有する。インバータ制御部３とコンバータ制御部６１との通信２８により、インバータ制御部３はマスターとして動作し、コンバータ制御部６１はスレーブとして動作し、インバータ制御部３とコンバータ制御部６１とは、充放電運転時に必要な情報の送受信を行う。例えば、充放電装置１の充放電電力が４ｋＷである場合、インバータ制御部３は、充放電装置１が４ｋＷを出力するように、コンバータ制御部６１と情報の送受信を行う。充放電装置１が４ｋＷを出力することを実現するためのコンバータの分散制御は、コンバータ制御部６１によって行われる。インバータ制御部３は、コンバータの分散制御に関知しない。
【００３４】
ひとつのコンバータと、当該ひとつのコンバータに対応するひとつのコンバータ制御部と、当該ひとつのコンバータに対応するひとつのコンバータ電源部とがひとつのユニットであると定義される場合、複数のユニットを並列に接続することで、部品の点数は増えるものの、同一の電力を出力する場合、１部品当たりの耐電流及び耐電力の最大定格を小さくすることができ、素子の小型化が可能で、総合的にコストダウンすることができる。上記の１部品の例は、電力変換に必要なスイッチング素子である。上述の通り、充放電装置１は、並列に接続された複数のユニットを有するので、１部品当たりの耐電流及び耐電力の最大定格を小さくすることができ、素子の小型化が可能で、総合的にコストダウンすることができる。
【００３５】
並列に接続された複数のユニットの個数を変えるだけで充放電装置が出力する電力をフレキシブルに変更することができるので、充放電装置１の製造者は、充放電装置が出力する電力に対応する製品のラインナップを容易に揃えることができる。
【００３６】
充放電運転時に、充放電装置１の充放電電力がマスターのコンバータ５１が出力することができる電力以下であって充放電装置１の状態が低負荷状態である場合、マスターのコンバータ制御部６１は、複数のコンバータ電源部７１，７２，７３，・・・，７ｎのうちのコンバータ制御部６１に対応するコンバータ電源部７１以外のスレーブのコンバータ電源部７２，７３，・・・，７ｎにコンバータ電源オフ制御信号２９を送信し、スレーブのコンバータ電源部７２，７３，・・・，７ｎをオフするように動作する。
【００３７】
例えば、ｎが２であって充放電装置１の出力が３ｋＷ未満である場合、充放電装置１の状態は低負荷状態とあるとみなされ、マスターのコンバータ制御部６１は、スレーブのコンバータ電源部７２をオフするように動作する。コンバータ電源部７２がオフするので、コンバータ電源部７２に対応するスレーブのコンバータ５２及びコンバータ制御部６２もオフする。これにより、充放電装置１は、低負荷状態時の電力変換効率の向上を図ることができる。
【００３８】
すなわち、充放電運転時に、負荷８４が必要とする電力量があらかじめ決められた電力量を下回った場合、複数のコンバータ制御部６１，６２，６３，・・・，６ｎのうちの特定のひとつのコンバータ制御部はマスターのコンバータ制御部となり、複数のコンバータ制御部６１，６２，６３，・・・，６ｎのうちの特定のひとつのコンバータ制御部以外のコンバータ制御部はスレーブのコンバータ制御部となり、マスターのコンバータ制御部は、スレーブのコンバータ制御部の電源をオフする。
【００３９】
上述のように、充放電装置１では、充放電運転時に充放電装置１の状態が低負荷状態になった場合、マスターのコンバータ制御部６１は、コンバータ電源オフ制御信号２９を送信することにより、スレーブのコンバータ電源部７２，７３，・・・，７ｎをオフする。これにより、スレーブのコンバータ５２，５３，・・・，５ｎ及びコンバータ制御部６２，６３，・・・，６ｎもオフする。その結果、充放電装置１は、電力変換効率の向上を図ることができる。
【００４０】
充放電運転時に、充放電装置１の充放電電力がマスターのコンバータ５１が出力可能な電力以下であって充放電装置１の状態が低負荷状態になった場合、上記の通信２７及び通信２８により、マスターのコンバータ制御部６１は、マスターのコンバータ５１を制御するためのＰＷＭ信号２２１を出力し、スレーブのコンバータ制御部６２，６３，・・・，６ｎは、ＰＷＭ信号２２２，２２３，・・・，２２ｎを出力しない。
【００４１】
例えば、ｎが２であって充放電装置１の出力が３ｋＷ未満である場合、充放電装置１の状態は低負荷状態であるとみなされ、マスターのコンバータ制御部６１は、スレーブのコンバータ制御部６２，６３，・・・，６ｎがＰＷＭ信号２２２，２２３，・・・，２２ｎを出力しないようにコンバータ制御部６２，６３，・・・，６ｎを制御する。これにより、充放電装置１は、低負荷状態時の電力変換効率の向上を図ることができる。
【００４２】
充放電運転時に、マスターのコンバータ制御部６１は、スレーブのコンバータ制御部６２，６３，・・・，６ｎの電源をオフすることによりスレーブのコンバータ５２，５３，・・・，５ｎを停止させる場合、スレーブのコンバータ制御部６２，６３，・・・，６ｎにコンバータ電源オフ制御信号を出力する。
【００４３】
上述のように、充放電運転時に、充放電装置１の状態が低負荷状態になった場合、複数のコンバータ制御部６１，６２，６３，・・・，６ｎの通信により、スレーブのコンバータ制御部６２，６３，・・・，６ｎはＰＷＭ信号２２２，２２３，・・・，２２ｎを出力しない。これにより、充放電装置１は電力変換効率の向上を図ることができる。
【００４４】
蓄電池８３についての充放電運転停止時に、連系解列器８は、商用系統８１とインバータ２とを接続させない状態にする。これにより、商用系統８１からの充放電装置１への電力の供給が停止し、コンデンサ１３が接続された各回路への放電が行われ、直流リンク電圧２３が低下する。複数のコンバータ電源部７１，７２，７３，・・・，７ｎの各々は、複数のコンバータ５１，５２，５３，・・・，５ｎのうちの対応するコンバータへの電源の供給をオフすると共に、複数のコンバータ制御部６１，６２，６３，・・・，６ｎのうちの対応するコンバータ制御部への電源の供給をオフする。
【００４５】
つまり、充放電運転停止時には、連系解列器８は、オフして、直流リンク電圧２３を低下させる。ｎが２である場合、コンバータ電源部７１及びコンバータ電源部７２はオフし、コンバータ５１、コンバータ５２、コンバータ制御部６１及びコンバータ制御部６２はオフする。これにより、充放電装置１は、充放電運転停止時の待機電力を抑制することができる。
【００４６】
上述のように、充放電運転停止時に、連系解列器８は、オフして、直流リンク電圧２３を低下させる。複数のコンバータ電源部７１，７２，７３，・・・，７ｎの各々は、複数のコンバータ５１，５２，５３，・・・，５ｎのうちの対応するコンバータへの電源の供給をオフすると共に、複数のコンバータ制御部６１，６２，６３，・・・，６ｎのうちの対応するコンバータ制御部への電源の供給をオフする。これにより、充放電装置１は、充放電運転停止時の待機電力を抑制することができる。
【００４７】
充放電運転停止時において、連系解列器８は、オンして、商用系統８１とインバータ２とを接続させる状態にしてもよい。この場合、インバータ２は、商用系統８１から供給される交流電圧を直流電力に変換して変換によって得られた直流電力をもとにコンデンサ１３を充電する。インバータ２は、直流リンク電圧２３を商用系統８１から供給される交流電力の電圧まで上昇させる。
【００４８】
ただし、インバータ２のスイッチング動作は行われない。そのため、直流リンク電圧２３は、充放電運転時の直流リンク電圧２３より低い。しかしながら、複数のコンバータ電源部７１，７２，７３，・・・，７ｎの各々はオンすることができる。そのため、複数のコンバータ電源部７１，７２，７３，・・・，７ｎの各々は、対応するコンバータと対応するコンバータ制御部とに直流リンク電圧２３の電源を供給する。コンバータ制御部６１は、コンバータ電源オフ制御信号２９を、複数のコンバータ電源部７１，７２，７３，・・・，７ｎのうちのコンバータ制御部６１に対応するコンバータ電源部７１以外のコンバータ電源部７２，７３，・・・，７ｎに出力する。コンバータ電源部７２，７３，・・・，７ｎは、オフする。
【００４９】
例えば、ｎが２であって充放電運転停止時において、連系解列器８は、オンして、直流リンク電圧２３を上昇させ、コンバータ電源部７１及びコンバータ電源部７２は、オンし、コンバータ５１、コンバータ５２、コンバータ制御部６１及びコンバータ制御部６２は、オンする。その後、コンバータ制御部６１は、コンバータ電源部７２をオフさせる。これにより、コンバータ５２及びコンバータ制御部６２は、オフする。その結果、コンバータ制御部６１の通電のみが維持され、コンバータ制御部６１は、ＥＶ８２からコントローラエリアネットワークを介して送られてくる信号を常時監視する。当該信号は、ＣＡＮ通信２５による信号である。
【００５０】
上述のように、充放電運転停止時において、連系解列器８は、オンして、コンデンサ１３を充電してもよい。この場合、複数のコンバータ電源部７１，７２，７３，・・・，７ｎの各々は、オンし、対応するコンバータと対応するコンバータ制御部とに直流リンク電圧２３の電源を供給する。コンバータ制御部６１は、コンバータ電源オフ制御信号２９を、複数のコンバータ電源部７１，７２，７３，・・・，７ｎのうちのコンバータ制御部６１に対応するコンバータ電源部７１以外のコンバータ電源部７２，７３，・・・，７ｎに出力する。コンバータ電源部７２，７３，・・・，７ｎは、オフする。これにより、コンバータ制御部６１の通電のみが維持され、コンバータ制御部６１は、ＥＶ８２からコントローラエリアネットワークを介して送られてくる信号を常時監視する。したがって、充放電装置１は、充放電運転停止時において、例えばＥＶ８２のタイマー充電機能を使用して相対的に安い電気料金時間帯でＥＶ８２の蓄電池８３を充電することができる。
【００５１】
充放電運転停止時に、連系解列器８が商用系統８１とインバータ２とを接続させない状態にして直流リンク電圧２３を低下させる場合、充放電装置１のユーザは、複数のコンバータ電源部７１，７２，７３，・・・，７ｎをオフする第１のモードと、複数のコンバータ制御部６１，６２，６３，・・・，６ｎのうちのマスターのコンバータ制御部が６１出力するコンバータ電源オフ制御信号２９によりスレーブのコンバータ制御部７２，７３，・・・，７ｎの電源をオフする第２のモードとのいずれかを選択する。第１のモードは、待機電力を抑制するモードである。第２のモードは、コンバータ制御部６１がＥＶ８２から送られてくる信号を常時監視するモードである。ユーザの選択は、表示操作リモートコントローラ９０の設定画面又は端末機器８６の設定画面において行われる。
【００５２】
ＥＶ８２の設定により、充放電運転停止時に、ＣＡＮ通信２５が行われる場合と行われない場合とがあるため、ＣＡＮ通信２５の常時監視についての対応の要否がユーザによって選択される。通信部１０又は受付部１１は、表示操作リモートコントローラ９０の設定画面又は端末機器８６の設定画面で選択された第１のモード又は第２のモードを受け付ける。
【００５３】
上述のように、充放電装置１は、第１のモード又は第２のモードを受け付ける。例えば、充放電装置１は、待機電力を抑制することが要求される場合、第１のモードにより、マスター及びスレーブの各ユニットの電源をオフにする。例えば、充放電装置１は、ＥＶ８２のタイマー充電機能を使用して相対的に安い電気料金時間帯にＥＶ８２の蓄電池８３を充電することが要求される場合、第２のモードにより、スレーブのユニットの電源をオフしてマスターのユニットの電源をオンし、ＣＡＮ通信２５を常時監視する。充放電装置１は、ＥＶ８２の状態をリアルタイムで監視することができる。
【００５４】
充放電装置１は、充放電装置１の外部のファームウェア書込み用パーソナルコンピュータ９２からファームウェアを受信するためのコンピュータ用コネクタ１７を更に有する。図１では、ファームウェア書込み用パーソナルコンピュータは「ファームウェア書込み用ＰＣ」と記載されている。コンピュータ用コネクタ１７は、インバータ制御部３に接続されている。充放電装置１が設置された後の充放電運転停止時に、例えば複数のコンバータ制御部６１，６２，６３，・・・，６ｎのファームウェアの不具合又は改善の必要性により当該ファームウェアをアップデートする必要が生じた場合、充放電装置１を設置した業者がファームウェア書込み用パーソナルコンピュータ９２の治具をコンピュータ用コネクタ１７に接続する。例えば業者の操作により、ファームウェア書込み用パーソナルコンピュータ９２が有するアップデート用のファームウェアが、コンピュータ用コネクタ１７を介してインバータ制御部３に送信される。インバータ制御部３は、送信されてきたアップデート用のファームウェアをメモリで記憶する。
【００５５】
充放電装置１がサーバ８９と接続されている場合、サーバ８９の管理者の操作により、サーバ８９が有するアップデート用のファームウェアがインターネット８８及びブロードバンドルータ８７を介して通信部１０に送信され、通信部１０がアップデート用のファームウェアをインバータ制御部３に送信する。インバータ制御部３は、送信されてきたアップデート用のファームウェアをメモリで記憶する。
【００５６】
インバータ制御部３は、アップデート用のファームウェアの一部又は全部を複数のコンバータ制御部６１，６２，６３，・・・，６ｎのうちのマスターのコンバータ制御部６１に送信する。コンバータ制御部６１は、送信されてきたアップデート用のファームウェアをメモリで記憶する。コンバータ制御部６１は、アップデート用のファームウェアの一部又は全部を複数のコンバータ制御部６１，６２，６３，・・・，６ｎのうちのスレーブのコンバータ制御部６２，６３，・・・，６ｎの各々に送信する。複数のコンバータ制御部６２，６３，・・・，６ｎの各々は、送信されてきたアップデート用のファームウェアをメモリで記憶する。
【００５７】
このように、充放電運転停止時に、インバータ制御部３がファームウェアをアップデートする要求を受け取った場合、連系解列器８は、商用系統８１とインバータ２とを接続させる状態にし、インバータ２は、商用系統８１から供給される交流電圧を直流電力に変換して変換によって得られた直流電力をもとにコンデンサ１３を充電する。複数のコンバータ電源部７１，７２，７３，・・・，７ｎの各々は、複数のコンバータ制御部６１，６２，６３，・・・，６ｎのうちの対応するコンバータ制御部に直流リンク電圧２３の電源を供給する。
【００５８】
インバータ制御部３は、アップデート用のファームウェアを受け取った場合、複数のコンバータ制御部６１，６２，６３，・・・，６ｎのうちのマスターのコンバータ制御部６１にアップデート用のファームウェアの一部又は全部を転送する。コンバータ制御部６１は、アップデート用のファームウェアを受信した場合、複数のコンバータ制御部６１，６２，６３，・・・，６ｎのうちのスレーブのコンバータ制御部６２，６３，・・・，６ｎにアップデート用のファームウェア一部又は全部を転送する。インバータ制御部３及び複数のコンバータ制御部６１，６２，６３，・・・，６ｎで記憶されていたファームウェアは、アップデート用のファームウェアの一部又は全部に一括でアップデートされる。
【００５９】
図３は、実施の形態にかかる充放電装置１がファームウェアをアップデートする場合の充放電装置１の動作の手順の第１の例の概略を示すフローチャートである。インバータ制御部３は、例えばブロードバンドルータ８７及びインターネット８８を介してサーバ８９から送信されたファームウェアのアップデートの要求を受信すると（Ｓ１）、充放電装置１の状態が充放電運転停止の状態であるか否かを確認する（Ｓ２）。
【００６０】
インバータ制御部３が、充放電装置１の状態が充放電運転の状態であることを確認した場合（Ｓ２でＮｏ）、充放電装置１がファームウェアをアップデートする動作は終了する。インバータ制御部３は、充放電装置１の状態が充放電運転停止の状態であることを確認した場合（Ｓ２でＹｅｓ）、インバータ制御部３及び複数のコンバータ制御部６１，６２，６３，・・・，６ｎのアップデート用のファームウェアをまとめてダウンロードする（Ｓ３）。インバータ制御部３は、インバータ制御部３が記憶していたファームウェアをアップデート用のファームウェアの一部又は全部にアップデートする。
【００６１】
次に、インバータ制御部３は、連系解列器制御信号２４により、連系解列器８をオンし（Ｓ４）、インバータ２は、商用系統８１から供給される交流電力を直流電力に変換し、変換によって得られた直流電力をもとにコンデンサ１３を充電する。インバータ２は、コンデンサ１３の直流リンク電圧２３が商用系統８１から供給される交流電力の電圧になるまでコンデンサ１３を充電する。ただし、インバータ２のスイッチング動作は行われないので、直流リンク電圧２３は、充放電運転時の直流リンク電圧２３より低い。しかしながら、複数のコンバータ電源部７１，７２，７３，・・・，７ｎの各々はオンすることができる。そのため、複数のコンバータ電源部７１，７２，７３，・・・，７ｎの各々は、対応するコンバータ制御部に直流リンク電圧２３の電源を供給する。
【００６２】
次に、インバータ制御部３は、アップデート用のファームウェアの一部又は全部を複数のコンバータ制御部６１，６２，６３，・・・，６ｎのうちのマスターのコンバータ制御部６１に送信する（Ｓ５）。マスターのコンバータ制御部６１は、記憶していたファームウェアをアップデート用のファームウェアの一部又は全部にアップデートする。
【００６３】
次に、マスターのコンバータ制御部６１は、アップデート用のファームウェアに一部又は全部を複数のコンバータ制御部６１，６２，６３，・・・，６ｎのうちのスレーブのコンバータ制御部６２，６３，・・・，６ｎに送信する（Ｓ６）。コンバータ制御部６２，６３，・・・，６ｎの各々は、記憶していたファームウェアをアップデート用のファームウェアの一部又は全部にアップデートする。充放電装置１の内部の複数のファームウェアがアップデートされた後、インバータ制御部３は、連系解列器制御信号２４により、連系解列器８をオフする（Ｓ７）。
【００６４】
上述したように、充放電装置１は、充放電運転停止時にファームウェアをアップデートする要求を受けた場合、インバータ制御部３及び複数のコンバータ制御部６１，６２，６３，・・・，６ｎのファームウェアを個別にアップデートするのではなく、シーケンスにしたがって、充放電装置１の内部の複数のファームウェアを一括でアップデートする。これにより、充放電装置１は、充放電運転時の低負荷状態での電力変換効率を向上させると共に充放電運転停止時の待機電力を抑制し、かつ複数のファームウェアのアップデートを一括で行うことができる。更に言うと、充放電装置１は、充放電装置１が設置された場所で複数のファームウェアをアップデートする必要が発生した場合の作業時間を短縮することができる。充放電装置１は、作業時の作業者の誤った接触による感電の危険性を回避することができる。充放電装置１は、遠隔ネットワークダウンロードに対応することができる。
【００６５】
図４は、実施の形態にかかる充放電装置１がファームウェアをアップデートする場合の充放電装置１の動作の手順の第２の例の概略を示すフローチャートである。図４のフローチャートは、図３のフローチャートの各ステップに、ＥＶ８２が充放電装置１に接続されているか否かを判断するステップＳ１１が追加されたフローチャートである。第２の例では、インバータ制御部３は、ファームウェアのアップデートの要求を受信すると（Ｓ１）、充放電装置１の状態が充放電運転停止の状態であるか否かを確認する（Ｓ２）。
【００６６】
インバータ制御部３が、充放電装置１の状態が充放電運転の状態であることを確認した場合（Ｓ２でＮｏ）、充放電装置１がファームウェアをアップデートする動作は終了する。インバータ制御部３は、充放電装置１の状態が充放電運転停止の状態であることを確認した場合（Ｓ２でＹｅｓ）、ＣＡＮ通信２５の信号により、又は、車両Ｉ／Ｏ信号２６に含まれる充放電コネクタ接続確認信号により、ＥＶ８２が充放電装置１に接続されているか否かを判断する（Ｓ１１）。インバータ制御部３が、ＥＶ８２が充放電装置１に接続されていると判断した場合（Ｓ１１でＹｅｓ）、充放電装置１がファームウェアをアップデートする動作は終了する。
【００６７】
インバータ制御部３は、ＥＶ８２が充放電装置１に接続されていないと判断した場合（Ｓ１１でＮｏ）、充放電運転が行われていないと判断し、インバータ制御部３及び複数のコンバータ制御部６１，６２，６３，・・・，６ｎのアップデート用のファームウェアをまとめてダウンロードする（Ｓ３）。インバータ制御部３は、インバータ制御部３が記憶していたファームウェアをアップデート用のファームウェアの一部又は全部にアップデートする。図４のフローチャートのステップＳ４以降の動作は、図３のフローチャートのステップＳ４以降の動作と同じである。
【００６８】
上述したように、充放電装置１は、ファームウェアをアップデートしている最中には充放電運転を行うことができないため、ＣＡＮ通信２５の信号により、又は、車両Ｉ／Ｏ信号２６に含まれる充放電コネクタ接続確認信号により、ＥＶ８２が充放電装置１に接続されていないと判断した場合にのみファームウェアをアップデートする。これにより、充放電装置１は、アップデートの最中に例えばタイマー充電又は他の充放電要求を拒絶しなければならない事態を回避することができる。
【００６９】
なお、実施の形態では、蓄電池８３が搭載される自動車はＥＶ８２であるが、蓄電池８３が搭載される自動車はＥＶ８２に限定されない。蓄電池８３が搭載される自動車は、プラグインハイブリッド車又はプラグインハイブリッド電気自動車であってもよい。
【００７０】
蓄電池８３は、自動車に搭載されなくてもよい。蓄電池８３は、定置型の蓄電池であってもよい。
【００７１】
図５は、実施の形態にかかる充放電装置１が有するインバータ制御部３、複数のコンバータ制御部６１，６２，６３，・・・，６ｎ、通信部１０、受付部１１及びコンピュータ用コネクタ１７の一部又は全部がプロセッサ９７によって実現される場合のプロセッサ９７を示す図である。つまり、インバータ制御部３、複数のコンバータ制御部６１，６２，６３，・・・，６ｎ、通信部１０、受付部１１及びコンピュータ用コネクタ１７の一部又は全部の機能は、メモリ９８に格納されるプログラムを実行するプロセッサ９７によって実現されてもよい。プロセッサ９７は、ＣＰＵ（Central  Processing  Unit）、処理装置、演算装置、マイクロプロセッサ、又はＤＳＰ（Digital  Signal  Processor）である。図５には、メモリ９８も示されている。
【００７２】
インバータ制御部３、複数のコンバータ制御部６１，６２，６３，・・・，６ｎ、通信部１０、受付部１１及びコンピュータ用コネクタ１７の一部又は全部の機能がプロセッサ９７によって実現される場合、当該一部又は全部の機能は、プロセッサ９７と、ソフトウェア、ファームウェア、又は、ソフトウェア及びファームウェアとの組み合わせにより実現される。ソフトウェア又はファームウェアはプログラムとして記述され、メモリ９８に格納される。プロセッサ９７は、メモリ９８に記憶されたプログラムを読み出して実行することにより、インバータ制御部３、複数のコンバータ制御部６１，６２，６３，・・・，６ｎ、通信部１０、受付部１１及びコンピュータ用コネクタ１７の一部又は全部の機能を実現する。
【００７３】
インバータ制御部３、複数のコンバータ制御部６１，６２，６３，・・・，６ｎ、通信部１０、受付部１１及びコンピュータ用コネクタ１７の一部又は全部の機能がプロセッサ９７によって実現される場合、充放電装置１は、インバータ制御部３、複数のコンバータ制御部６１，６２，６３，・・・，６ｎ、通信部１０、受付部１１及びコンピュータ用コネクタ１７によって実行されるステップの一部又は全部が結果的に実行されることになるプログラムを格納するためのメモリ９８を有する。メモリ９８に格納されるプログラムは、インバータ制御部３、複数のコンバータ制御部６１，６２，６３，・・・，６ｎ、通信部１０、受付部１１及びコンピュータ用コネクタ１７が実行する手順又は方法の一部又は全部をコンピュータに実行させるものであるともいえる。
【００７４】
メモリ９８は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００７５】
図６は、実施の形態にかかる充放電装置１が有するインバータ制御部３、複数のコンバータ制御部６１，６２，６３，・・・，６ｎ、通信部１０、受付部１１及びコンピュータ用コネクタ１７の一部又は全部が処理回路９９によって実現される場合の処理回路９９を示す図である。つまり、インバータ制御部３、複数のコンバータ制御部６１，６２，６３，・・・，６ｎ、通信部１０、受付部１１及びコンピュータ用コネクタ１７の一部又は全部は、処理回路９９によって実現されてもよい。
【００７６】
処理回路９９は、専用のハードウェアである。処理回路９９は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００７７】
インバータ制御部３、複数のコンバータ制御部６１，６２，６３，・・・，６ｎ、通信部１０、受付部１１及びコンピュータ用コネクタ１７の一部は、残部とは別個の専用のハードウェアであってもよい。
【００７８】
インバータ制御部３、複数のコンバータ制御部６１，６２，６３，・・・，６ｎ、通信部１０、受付部１１及びコンピュータ用コネクタ１７の複数の機能について、当該複数の機能の一部がソフトウェア又はファームウェアで実現され、当該複数の機能の残部が専用のハードウェアで実現されてもよい。このように、インバータ制御部３、複数のコンバータ制御部６１，６２，６３，・・・，６ｎ、通信部１０、受付部１１及びコンピュータ用コネクタ１７の複数の機能は、ハードウェア、ソフトウェア、ファームウェア、又はこれらの組み合わせによって実現することができる。
【００７９】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略又は変更することも可能である。
【符号の説明】
【００８０】
１  充放電装置、２  インバータ、３  インバータ制御部、４  インバータ電源部、５１，５２，５３，５ｎ  コンバータ、６１，６２，６３，６ｎ  コンバータ制御部、７１，７２，７３，７ｎ  コンバータ電源部、８  連系解列器、９  蓄電池側解列器、１０  通信部、１１  受付部、１２，１５  配線、１３  コンデンサ、１４  充放電コネクタ、１６，４５，４６，４７，４８  ダイオード、１７  コンピュータ用コネクタ、２１  パルス振幅変調信号、２２１，２２２，２２３，２２ｎ  ＰＷＭ信号、２３  直流リンク電圧、２４  連系解列器制御信号、２５  ＣＡＮ通信、２６  車両Ｉ／Ｏ信号、２７，２８  通信、２９  コンバータ電源オフ制御信号、４１，４２，４３，４４  スイッチング素子、４９，５０  リアクトル、８１  商用系統、８２  ＥＶ、８３  蓄電池、８４  負荷、８５  分電盤、８６  端末機器、８７  ブロードバンドルータ、８８  インターネット、８９  サーバ、９０  表示操作リモートコントローラ、９１  充放電ポート、９２  ファームウェア書込み用パーソナルコンピュータ、９７  プロセッサ、９８  メモリ、９９  処理回路。
【要約】
充放電装置（１）は、商用系統（８１）から供給される交流電力を直流電力に変換する機能と直流電力を交流電力に変換する機能とを含むインバータ（２）と、インバータ（２）を制御するインバータ制御部（３）と、インバータ（２）とインバータ制御部（３）とに電源を供給するインバータ電源部（４）と、インバータ（２）によって得られる直流電力の電圧値を変更する機能と蓄電池（８３）から供給される直流電力の電圧値を変更する機能とを含み並列に接続された複数のコンバータ（５１，・・・，５ｎ）と、複数のコンバータ（５１，・・・，５ｎ）を制御する複数のコンバータ制御部（６１，・・・，６ｎ）と、複数のコンバータ（５１，・・・，５ｎ）と複数のコンバータ制御部（６１，・・・，６ｎ）とに電源を供給する複数のコンバータ電源部（７１，・・・，７ｎ）とを有する。【図１】
0006775721.tif 000002
【図２】
0006775721.tif 000003
【図３】
0006775721.tif 000004
【図４】
0006775721.tif 000005
【図５】
0006775721.tif 000006
【図６】
0006775721.tif 000007